(57)【特許請求の範囲】
【請求項１】
室内と室外を連通するように室内天井または室内壁と外壁との間に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、前記本体フレームに取り付けられる箱形の前面パネルと、前記立ち上がり部の正面側寄りに設けた突起部と、前記突起部を設けた前記立ち上がり部と同一面の背面側寄りに、前記突起部より突出し、前記室内天井または前記室内壁とクリアランスを有し、逆Ｌ字状に形成し設けられる引っ掛け部と、前記突起部および前記引っ掛け部を設けた前記立ち上がり部と反対側の前記立ち上がり部に設けた係止用爪と、前記突起部の正面側と背面側に設けられる正面側傾斜および背面側傾斜と、前記引っ掛け部の正面側に設けられる傾斜面と、前記前面パネルの前記係止用爪と対向する側面には、前記係止用爪と係合して前記前面パネルを保持するために設けられる係合爪と、前記係合爪を設けた側面の外側面に設けられる取っ手と、前記前面パネルの前記突起部と対向する側面には、前記突起部が係合する係合孔および前記引っ掛け部が挿入される切欠き孔と、前記前面パネルの前記切欠き孔の背面側に前記クリアランスより細く形成し設けられる軸とを備えたことを特長とする換気装置。
【請求項２】
係合孔は突起部の背面側傾斜と同一形状の傾斜部を有した同一形状としたことを特徴とすることを特徴とする請求項１に記載の換気装置。
【発明の詳細な説明】
【技術分野】
【０００１】
本発明は、室内と室外を連通するように設けた風洞パイプに装着されて換気をする換気装置に関する。
【背景技術】
【０００２】
従来、この種の換気装置の一例として、前面パネルを着脱させる換気装置が知られている（例えば、特許文献１参照）。
【０００３】
以下、その換気装置について図７を参照しながら説明する。
【０００４】
図に示すように、本体１０１に引っ掛け部１０２と係止用爪１０３を設け、本体１０１の前面に取り付ける前面パネル１０４に引っ掛け部１０２に引っ掛ける軸１０５と、係止用爪１０３に係合する係合爪（図示せず）を設け構成される。
【先行技術文献】
【特許文献】
【０００５】
【特許文献１】特許第４７８４３３７号公報
【発明の概要】
【発明が解決しようとする課題】
【０００６】
このような従来の換気装置においては、前面パネル１０４を本体１０１に取り付ける際に、軸１０５を引っ掛け部１０２に引っ掛けてから、係止用爪１０３に係合爪１０６を係合させて取り付けるようにしたものであり、本体施工、清掃およびメンテナンスのために着脱可能な前面パネル１０４が係合構造の劣化や変形によって不意に落下することを防止するために引っ掛け構造と係合構造とで保持されており、前面パネル１０４を装着する際に引っ掛け構造に引っ掛けてから係合させる必要があった。
【０００７】
そこで本発明は、引っ掛け構造と係合構造とで前面パネルを本体へ保持しつつ、本体への前面パネルの装着性を向上することができる換気装置を提供することを目的とする。
【課題を解決するための手段】
【０００８】
そして、この目的を達成するために、本発明は、室内と室外を連通するように室内天井または室内壁と外壁との間に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、前記本体フレームに取り付けられる箱形の前面パネルと、前記立ち上がり部の正面側寄りに設けた突起部と、前記突起部を設けた前記立ち上がり部と同一面の背面側寄りに、前記突起部より突出し、前記室内天井または前記室内壁とクリアランスを有し、逆Ｌ字状に形成し設けられる引っ掛け部と、前記突起部および前記引っ掛け部を設けた前記立ち上がり部と反対側の前記立ち上がり部に設けた係止用爪と、前記突起部の正面側と背面側に設けられる正面側傾斜および背面側傾斜と、前記引っ掛け部の正面側に設けられる傾斜面と、前記前面パネルの前記係止用爪と対向する側面には、前記係止用爪と係合して前記前面パネルを保持するために設けられる係合爪と、前記係合爪を設けた側面の外側面に設けられる取っ手と、前記前面パネルの前記突起部と対向する側面には、前記突起部が係合する係合孔および前記引っ掛け部が挿入される切欠き孔と、前記前面パネルの前記切欠き孔の背面側に前記クリアランスより細く形成し設けられる軸とを備えたものであり、これにより所期の目的を達成するものである。
【発明の効果】
【０００９】
本発明によれば、室内と室外を連通するように室内天井または室内壁と外壁との間に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、前記本体フレームに取り付けられる箱形の前面パネルと、前記立ち上がり部の正面側寄りに設けた突起部と、前記突起部を設けた前記立ち上がり部と同一面の背面側寄りに、前記突起部より突出し、前記室内天井または前記室内壁とクリアランスを有し、逆Ｌ字状に形成し設けられる引っ掛け部と、前記突起部および前記引っ掛け部を設けた前記立ち上がり部と反対側の前記立ち上がり部に設けた係止用爪と、前記突起部の正面側と背面側に設けられる正面側傾斜および背面側傾斜と、前記引っ掛け部の正面側に設けられる傾斜面と、前記前面パネルの前記係止用爪と対向する側面には、前記係止用爪と係合して前記前面パネルを保持するために設けられる係合爪と、前記係合爪を設けた側面の外側面に設けられる取っ手と、前記前面パネルの前記突起部と対向する側面には、前記突起部が係合する係合孔および前記引っ掛け部が挿入される切欠き孔と、前記前面パネルの前記切欠き孔の背面側に前記クリアランスより細く形成し設けられる軸とを備えた、という構成にしたことにより、前面パネルを本体フレームに合わせて押し込んだときに、正面側傾斜および傾斜面により、前面パネルの側面が引っ掛け部の突出よりも外側に変形させられ、更に押し込んだときに軸が引っ掛け部を乗り越えて、側面の変形が元に戻ると同時にクリアランスに納まり、同時に突起部と係合孔および係止用爪と係合爪が係合し、前面パネルが保持されることとなるので、引っ掛け構造と係合構造とで前面パネルを本体へ保持しつつ、本体への前面パネルの装着性を向上することができる、という効果を得ることができる。
【図面の簡単な説明】
【００１０】
【図１】本発明の実施の形態１の換気装置を室内天井に設置した状態を示す側断面図
【図２】同換気装置の分解斜視図
【図３】同換気装置の突起部と係合孔との関係を示す部分断面図
【図４】同換気装置の取っ手側方向からの分解斜視図
【図５】同換気装置の落下防止状態を示す側断面図
【図６】同換気装置の突起部と引っ掛け部との位置関係を示す斜視図
【図７】従来の換気装置の分解斜視図
【発明を実施するための形態】
【００１１】
本発明の請求項１記載の換気装置は、室内と室外を連通するように室内天井または室内壁と外壁との間に埋設された風洞パイプに装着される筒状部と、この筒状部の室内側開口の外周に半径方向に張り出した略方形状に形成されたフランジ部と、このフランジ部の周辺の背面側に形成された立ち上がり部とを設けた本体フレームと、前記本体フレームに取り付けられる箱形の前面パネルと、前記立ち上がり部の正面側寄りに設けた突起部と、前記突起部を設けた前記立ち上がり部と同一面の背面側寄りに、前記突起部より突出し、前記室内天井または前記室内壁とクリアランスを有し、逆Ｌ字状に形成し設けられる引っ掛け部と、前記突起部および前記引っ掛け部を設けた前記立ち上がり部と反対側の前記立ち上がり部に設けた係止用爪と、前記突起部の正面側と背面側に設けられる正面側傾斜および背面側傾斜と、前記引っ掛け部の正面側に設けられる傾斜面と、前記前面パネルの前記係止用爪と対向する側面には、前記係止用爪と係合して前記前面パネルを保持するために設けられる係合爪と、前記係合爪を設けた側面の外側面に設けられる取っ手と、前記前面パネルの前記突起部と対向する側面には、前記突起部が係合する係合孔および前記引っ掛け部が挿入される切欠き孔と、前記前面パネルの前記切欠き孔の背面側に前記クリアランスより細く形成し設けられる軸とを備えた、という構成を有する。これにより、前面パネルを本体フレームに合わせて押し込んだときに、正面側傾斜および傾斜面により、前面パネルの側面が引っ掛け部の突出よりも外側に変形させられ、更に押し込んだときに軸が引っ掛け部を乗り越えて、側面の変形が元に戻ると同時にクリアランスに納まり、同時に突起部と係合孔および係止用爪と係合爪が係合し、前面パネルが保持されることとなるので、前面パネルを押し込みのみで容易に装着することができ、本体施工性、清掃性およびメンテナンス性を向上することができる、という効果を奏する。
【００１２】
また、係合孔は突起部の背面側傾斜と同一形状の傾斜部を有した同一形状とした、という構成にしてもよい。これにより、前面パネルが本体フレームに保持されたときに、前面パネルの傾斜部が本体フレームの背面側傾斜と接触して、前面パネルが本体フレームに保持されることとなるので、前面パネルが室内天井または室内壁に密着し、ガタツキが発生することを防止できる、という効果を奏する。
【００１３】
以下、本発明の実施の形態について図面を参照しながら説明する。
【００１４】
（実施の形態１）
図１〜図３に示すように、室内と室外を連通するように、室内天井１に埋設された風洞パイプ２に装着される、筒状部３と、筒状部３の室内側開口の外周に半径方向に張り出した略方形状に形成されたフランジ部４と、フランジ部４の周辺の背面側に形成された約２０ｍｍの立ち上がり部５とを設けた本体フレーム６と、本体フレーム６に取り付けられる箱形の前面パネル７と、立ち上がり部５の正面側寄りに一対の突起部８を、突起部８間の寸法（Ａ）に対して、突起部８から本体フレーム６の端部までの寸法（Ｂ）より大きく設け、同一面の背面側寄りの略中央に突起部８より突出し、室内天井１とクリアランス９を有し、逆Ｌ字状に形成し突起部８よりも突出して設けられ、背面側のほうが正面側よりも高い形状の引っ掛け部１０とを設け、突起部８および引っ掛け部１０を設けた立ち上がり部５と反対側の立ち上がり部５に設けた係止用爪１１と、突起部８の正面側と背面側に設けられる正面側傾斜１２および背面側傾斜１３と、引っ掛け部１０の正面側に設けられる傾斜面１４と、前面パネル７の係止用爪１１と対向する側面には、係止用爪１１と係合して前面パネル７を保持するために設けられる係合爪１５と、係合爪１５を設けた側面の外側面に設けられる取っ手１６と、前面パネル７の突起部８と対向する側面には、突起部８が係合する係合孔１７および引っ掛け部１０が挿入される切欠き孔１８と、前面パネル７の切欠き孔１８の背面側にクリアランス９より細い幅で形成し設けられる軸１９を設ける。
【００１５】
また、係合孔１７は突起部８と正面側傾斜１２および背面側傾斜１３とほぼ同一の傾斜部２０を有する。
【００１６】
また、図４に示すように、取っ手１６は前面パネル７の側面外周に沿って、前面パネル７の背面側のみ開口したコの字形状のリブ形状を成して設けられる。
【００１７】
また、取っ手１６を設けた前面パネル７の側面は、前面パネル７の正面側のほうが深くなるように傾斜している。
【００１８】
上記構成において本体フレーム６に前面パネル７を取り付けるときには、前面パネル７を本体フレーム６に位置と向きを合わせて、押し込んだときに、正面側傾斜１２および傾斜面１４により、前面パネル７の側面が引っ掛け部１０の突出よりも外側に変形させられ、更に押し込んだときに軸１９が引っ掛け部１０を乗り越えて、前面パネル７の側面の変形が元に戻ると同時に、軸１９が引っ掛け部１０の背面側のクリアランス９に収まり、ほぼ同時に係合孔１７に突起部８が収まり、傾斜部２０と背面側傾斜１３がほぼ接することとなり、ほぼ同時に係止用爪１１と係合爪１５が係合することにより、前面パネル７が室内天井１に密着し、がたつき無く保持される。
【００１９】
また、前面パネル７を本体フレーム６から取り外すときには、取っ手１６に指をかけて引っ張ると係止用爪１１と係合爪１５の係合が外れ、更に軸１９を引っ掛け部１０から外すことにより前面パネル７が取り外される。
【００２０】
また、図５に示すように、係止用爪１１と係合爪１５の係合が外れてしまったときには、前面パネル７が重力によって落下する際に、背面側に向かって拡がった逆Ｌ字形状の引っ掛け部１０に軸１９が誘い込まれるように落下し引っ掛かることにより、前面パネル７は片持ちで仮固定状態となり、床面に落下することはない。
【００２１】
このように実施の形態１の発明によれば、室内と室外を連通するように室内天井１と外壁との間に埋設された風洞パイプ２に装着される筒状部３と、筒状部３の室内側開口の外周に半径方向に張り出した略方形状に形成されたフランジ部４と、フランジ部４の周辺の背面側に形成された立ち上がり部５とを設けた本体フレーム６と、本体フレーム６に取り付けられる箱形の前面パネル７と、本体フレーム６の立ち上がり部５に、本体フレーム６の正面側寄りに設けた突起部８と、突起部８を設けた立ち上がり部と同一面の背面側寄りに突起部８より突出し、室内天井１とクリアランス９を有し、逆Ｌ字状に形成し設けられる引っ掛け部１０と、突起部８および引っ掛け部１０を設けた立ち上がり部５と対面する立ち上がり部５に設けた係止用爪１１と突起部８の、本体フレーム６の正面側と背面側に設けられる正面側傾斜１２および背面側傾斜１３と、引っ掛け部１０の、本体フレーム６の正面側に設けられる傾斜面１４と前面パネル７の側面には、係止用爪１１と係合して前面パネル７を保持するために設けられる係合爪１５と、係合爪１５を設けた側面の外側面に設けられる取っ手１６と突起部８が係合する係合孔１７および引っ掛け部１０が挿入される切欠き孔１８と、切欠き孔１８の背面側にクリアランス９より細く形成し設けられる軸１９とを備えた、という構成を有する。これにより、前面パネル７を本体フレーム６に合わせて押し込んだときに、正面側傾斜１２および傾斜面１４により、前面パネル７の側面が引っ掛け部１０の突出よりも外側に変形させられ、更に押し込んだときに軸１９が引っ掛け部１０を乗り越えて、側面の変形が元に戻ると同時にクリアランス９に納まり、同時に突起部８と係合孔１７および係止用爪１１と係合爪１５が係合し、前面パネル７が保持されることとなるので、前面パネル７を押し込みのみで容易に装着することができ、清掃性およびメンテナンス性を向上することができる、という効果を奏する。
【００２２】
また、係合孔１７は突起部８の背面側傾斜１３と同一形状の傾斜部２０を有した同一形状とした、という構成にしてもよい。これにより、前面パネル７が本体フレーム６に保持されたときに、前面パネル７の傾斜部２０が本体フレーム６の背面側傾斜１３と接触して、前面パネル７が本体フレーム６に保持されることとなるので、前面パネル７が室内天井１に密着し、ガタツキが発生することを防止できる、という効果を奏する。
【００２３】
また、取っ手１６がコの字形状のリブ形状を成していることにより、前面パネル７を正面から見たときには、略方形状に見え、取っ手１６方向斜め下から見たときには、側面が取っ手１６の陰になって見えることとなるので、正面から見たときには、出っ張り感がなく、取っ手１６方向斜め下から見たときには、リブ形状のすっきりした印象を与えることができる。
【００２４】
また、取っ手１６を設けた前面パネル７の側面は、前面パネル７の正面側のほうが深くなるように傾斜していることにより、前面パネル７を大きくすること無く取っ手１６の深さを深くすることができ、取っ手１６に指を深くかけることができるので、より前面パネル７を容易に取り外すことができる。
【００２５】
なお、実施の形態において、室内天井１に埋設された風洞パイプ２に装着されるとしたが、室内壁に埋設された風洞パイプ２に装着される構成にしても、同様の効果を得ることができる。
【００２６】
また、本体フレーム６に前面パネル７を取り付けるときには、前面パネル７を本体フレーム６に位置と向きを合わせて、押し込むとしたが、前面パネル７の軸１９を本体フレーム６の引っ掛け部１０に引っ掛けた後に、前面パネル７を押し込む方法で取り付けることもできる。このとき、係合孔１７の傾斜部２０と、突起部８の背面側傾斜１３がほぼ接しながら、前面パネル７を室内天井１または室内壁に密着させる方向に引寄せながら、前面パネル７が回動し、係止用爪１１と係合爪１５が係合することにより、前面パネル７が室内天井１または室内壁に密着し、がたつき無く保持される。
【００２７】
なお、前面パネル７はＰＰ樹脂などの外力によるたわみ変形のしやすい材料で構成され、クリアランス９は先端側を軸１９の幅＋１ｍｍから＋２ｍｍとすることが望ましく、本実施の形態においては軸１９を２．５ｍｍ程度、クリアランスを４ｍｍ程度としており、大きすぎると落下の時に引っ掛かりにくくなり、小さすぎると軸１９が引っ掛け部１０を完全に乗り越えにくくなり、取り付けにくくなる。
【００２８】
また、突起部８の高さは前面パネル７の側面から突出しない高さ、例えば肉厚が２ｍｍ、本体フレーム６の立ち上がり部５と前面パネル７側面の隙間が０．５ｍｍであれば突起部の高さは２ｍｍ程度とすることが好ましい。
【００２９】
また、引っ掛け部１０の高さは軸１９の幅＋２．５ｍｍの５ｍｍ程度にとどめ、背面側のほうがより突出するような緩やかな傾斜を設けることが、前面パネルの引っ掛けの確実性と前面パネルからの突出を最小限に抑えて、外観の両立ができるため好ましい。
【００３０】
また、正面側傾斜１２の角度は４５度程度が好ましく、角度が大きくなると前面パネル７を押し込むときに前面パネル７の側面を外側に変形させにくくなり、角度が小さくなると本体フレーム６の立ち上がり部５の寸法が大きくなり、換気装置が室内天井１または室内壁から大きく突出することとなる。
【００３１】
また、傾斜面１４は４０度程度、背面側傾斜１３は２０度程度が好ましく、角度が大きくなると前面パネル７を取り付ける際に室内天井１または室内壁に前面パネル７を密着させる方向に引寄せるときに、突起部８と傾斜部２０のすべりが悪くなり、十分な密着が得られなくなる。
【００３２】
また、図６に示すように、引っ掛け部１０の根元と室内天井１との距離（ａ）は、突起部８の背面側傾斜１３の根元と室内天井１との距離（ｂ）に対して＋０．５ｍｍ程度が好ましく、寸法差が大きくなると前面パネル７が落下した時に、引っ掛け部１０に軸１９が引っ掛かりにくくなる。
【産業上の利用可能性】
【００３３】
本発明にかかる換気装置は、引っ掛け構造と係合構造とで前面パネルを本体へ保持しつつ、本体への前面パネルの装着性を向上することができるものであるので、前面パネルを着脱して清掃およびメンテナンスを行う空気調和機や、自然給気口等の前面パネル取付構造等にも有用である。
【符号の説明】
【００３４】
１    室内天井
２    風洞パイプ
３    筒状部
４    フランジ部
５    立ち上がり部
６    本体フレーム
７    前面パネル
８    突起部
９    クリアランス
１０  引っ掛け部
１１  係止用爪
１２  正面側傾斜
１３  背面側傾斜
１４  傾斜面
１５  係合爪
１６  取っ手
１７  係合孔
１８  切欠き孔
１９  軸
２０  傾斜部
【図１】
0006364621.tif 000002
【図２】
0006364621.tif 000003
【図３】
0006364621.tif 000004
【図４】
0006364621.tif 000005
【図５】
0006364621.tif 000006
【図６】
0006364621.tif 000007
【図７】
0006364621.tif 000008